(57)【要約】【課題】介護者が患者Ｄの頭を支えることなく安全に患者Ｄの体を傾けることが可能にすると共に、患者Ｄの体を傾ける際に使用するロープが破断しても、ロープ牽引部におけるロープ支持部たるピン６ａ、６ｂの何れかが折損しても、患者Ｄを引き続き安全に傾け続けること、および、安全に吊上げ続けることが可能なるようにする。【解決手段】患者Ｄの体を傾ける際に使用する介護用シートＢ３は着脱自在な長尺枕Ｇを具備したものにすると共に、患者Ｄの体を傾ける際に使用する２系列のロープにおける各々の系列のロープは二重にし、かつ、各々の系列のロープにおける反介護用シートＢ３側の端部の取付け位置は２箇所に分割する。【選択図】    図１
2005058720.tif 000002
【特許請求の範囲】
【請求項１】
仰向けに寝ている患者を横向きに立てるために使用する介護用シートにおいて、マジックフアスナーの片側面を長尺枕における各々の端部付近の裏面に設けると共に、該長尺枕の略中心と、シートの上で仰向けに寝ている患者の頭の位置とを重ねた状態における該マジックフアスナーの片側面と対向するシートの表面位置に、該マジックフアスナーの他側面を設けたことにより、着脱自在な長尺枕を具備した介護用シート。
【請求項２】
シートを吊上げるために２系列のロープを具備し、その２系列のロープにおける反シート側の端部が、螺杆の回転で推進する牽引ナットに連結され、その牽引ナットの前後進によって同時に上下動する介護補助装置のシートの吊上げ索具において、２系列のロープにおける各々の系列のロープを２本のロープで構成すると共に、該各々の系列のロープにおける反介護用シート側のそれぞれの端部が、該牽引ナットの両側に設けたピンの何れかに連結したことを特徴とする介護用シートの吊上げ索具。
【発明の詳細な説明】
【発明の詳細な説明】
【技術分野】
【０００１】  本発明は、ベッドに寝ている患者に対する介護補助装置に関し、詳しくは、患者を左右方向自在に傾かせて行うオムツの交換や、患者を吊上げてするシーツの交換等に係る補助装置に関する。
【背景技術】
【０００２】  従来において、患者の下に敷設したシートの片側端を吊上げることにより、患者を傾ける機構を用いた介護補助装置が、特願２００２−１２３２１１に開示されている。【０００３】  前記介護補助装置を使用して首の弱い患者を傾ける場合、シート上の患者の体が起きるに連れて、患者の頭が下がるので、介護者は患者の頭を支えながら体を傾けなければならない。【０００４】  介護者が患者の頭を支える操作を忘れて、首の弱い患者を傾けた場合、患者は首を捻挫する等の負傷をする虞がある。
このため、前記介護補助装置を使用して、患者のオムツを交換する場合には、患者の頭を支えながら患者の体を傾けるという操作は、決して忘れてはならない操作である。
従って、介護者は、患者のオムツを交換する際に、格別の注意を要するという問題がある。【０００５】  特願２００２−１２３２１１に開示されているシートは、患者の体を傾けるときには、そのシートの片側端を２系列のロープで吊上げている。
各系列のロープは１本のロープで構成されているため、ロープが吊上げ中に破断、或いは、ロープ牽引部におけるロープとの連結部分が折損する等の事故が発生した場合には、傾いている患者は、傾き角度が急激に減少するから、負傷する虞がある。【０００６】  また、特願２００２−１２３２１１に開示されているシートは、そのシートの各々の端部がそれぞれの系列のロープで吊上げられることによって、患者の体を吊上げて宙吊にする場合にも使用される。
各系列のロープは１本のロープで構成されているため、ロープが吊上げ中に破断、或いは、ロープ牽引部におけるロープとの連結部分が折損する等の事故が発生した場合には、宙吊りの患者は墜落して負傷する虞がある。【０００７】  介護者は通常機械技術者でないから、介護者が介護補助装置の点検整備をすることによって、これらの事故が発生する虞を無くすことは、困難であるという問題がある。【０００８】  以上の事情により、介護者が患者の頭を支える操作を忘れても、ロープの破断事故やロープ牽引部におけるロープとの連結部の折損事故が発生しても、患者を安全に傾け続けることおよび安全に吊上げ続けることが可能な装置の出現が関係者の間で熱望されていた。
【解決しょうとする課題】
【０００９】  介護者が患者の頭を支えることなく安全に患者の体を傾けることが可能にすると共に、患者の体を傾ける際に使用するロープが破断しても、ロープ牽引部におけるロープ支持部が折損しても、患者を引き続き安全に傾け続けること、および、安全に吊上げ続けることが可能なるようにする。
【課題を解決するための手段】
【００１０】  介護用シートは着脱自在な長尺枕を具備したものにすると共に、２系列のロープにおける各々の系列のロープは二重にし、かつ、各々の系列のロープにおける反介護用シート側の端部の取付け位置は２箇所に分割する。
【発明の実施の態様】
【００１１】  本発明の介護用シートは、図３に表示しているように、長尺枕の両端付近の裏面に、マジックフアスナーの片側面を設けると共に、図２に表示しているように、該長尺枕の略中心と、シートで仰向けに寝ている患者の頭の位置とを重ねた状態における該マジックフアスナーの片側面と対向するシートの表面位置に、該マジックフアスナーの他側面を設けたことによって、長尺枕を着脱自在にしたものである。
【００１２】  長尺枕を具備した介護用シートは、シートの上に仰向けに寝ている患者を、横向きに立てるときに、その長尺枕が介護シートと一緒に曲がって、患者の側頭をその長尺枕の水平部分で受けるものである。
長尺枕は、人が使用する枕として適合した硬さと弾力性を有するものとする。
長尺枕は、厚さ方向に軟らかくなっている布を適当な厚さに重ね合わせて、枕に適合した硬さと弾力性を有するたものに形成しても良い。
スポンジを布で包んで長尺枕を形成する場合は、曲がり易くするために、この長尺枕の曲がり部の下面に枕の全幅に亘って切り込みを入れても良い。
また、長尺枕を籾、小豆、蕎麦、プラスチック片等を布で包んで形成する場合には、曲がる際にこれらの中身が偏りしないように、この長尺枕の曲がり部の内部に適当な間隔で仕切り膜を設けると共に、曲がり易くするために、この長尺枕の曲がり部の下面に、枕の全幅に亘って切り込みを入れる。
この場合の切り込み部は、曲がったときに中身が漏れ出ないように、布を折り返して形成する。
【００１３】  本発明の介護用シートの吊上げ索具は、特願２００２−１２３２１１に開示されている介護補助装置における「シートの吊上げ索具」、即ち、シートを吊上げるために２系列のロープを具備し、その２系列のロープにおける反シート側の端部が、螺杆の回転で推進する牽引ナットに連結され、その牽引ナットの前後進によって同時に上下動する「シートの吊上げ索具」において、２系列のロープにおける各々の系列のロープを２本のロープで構成すると共に、該各々の系列のロープにおける反介護用シート側のそれぞれの端部が、該牽引ナットの両側に設けたピンの何れかに連結したことを特徴とするものである。
【００１４】  介護用シートは、可撓性を有し、綿、麻若しくは化学繊維を素材とした布、或いはゴム、ビニール若しくはナイロン等の合成樹脂等からなるシートで構成され、患者Ｄの頭から膝近くまでの範囲に敷設される。
シートの吊上げに使用するロープは、綿、麻或いはポリプロピレン、ポリエチレン、ポリエステル等の化学繊維を縒ったもので構成されている。
【００１５】  ２系列のロープの下部は、特願２００２−１２３２１１に開示されている“一対の索具”を構成しており、その“一対の索具”は、図１に表示しているように、ロープ１２ａとロープ１２ｂとの下端がフック１３とフック１５の両者に連結し、ロープ１４ａとロープ１４ｂとの下端がフック３２とフック３３の両者に連結し、ロープ１２ａとロープ１２ｂとの下端がフック１３を介してロープ１４ａとロープ１４ｂとの下端と連結されたものであり、フック１５とフック３３とを本願発明の介護用シートＢ３に連結して使用される。
【００１６】  ロープ１２ａとロープ１２ｂとの下端およびロープ１４ａとロープ１４ｂとの下端の両者が同一速度で上昇するから、これらの下端は垂直方向に上昇する。
このため、介護用シートＢ３の片側端は垂直に吊上げられることとなる。
従って、介護用シートＢ３に仰向けに寝ていた患者Ｄは、介護用シートＢ３の片側端の位置が高くなるに連れて、横向きの角度が大きくなって、遂には略垂直になる。
【００１７】  本発明の介護用シートおよびその吊上げ索具を具備した介護補助装置は、前述の如くに、左右方向自在に患者を略垂直に立てることが可能であるから、患者のオムツが汚れたときには、従来の手作業によるオムツ交換の要領に類似した要領で、その「汚れたオムツ」を「清潔なオムツ」に交換することが可能である。
【００１８】  長尺枕は、マジックフアスナーが長尺枕の両端付近に設けているから、介護用シートからの着脱が容易であるという利点がある。
このような利点があるから、使用して汚れた「介護用シートのシート」は、長尺枕を介護用シートから取り外せば、オムツ交換の要領に類似した要領で、清潔な「介護用シートのシート」に容易に取り替えることができる。
尚、長尺枕は、マジックフアスナーが長尺枕の中央付近にないから、介護用シートからの着脱する際、患者の頭が邪魔にならず、容易に着脱することができる。
【実施例１】
【００１９】  図２は、本発明の“長尺枕Ｅを着脱可能に設けた介護用シートＢ１”の斜視図を表示したものであり、介護用シートＢ１は、患者Ｄの下に敷設されるもので、吊環を具備したシート２２と長尺枕Ｅとで構成され、長尺枕Ｅをシート２２の患者Ｄの頭３４が位置する部分に、マジックファスナー２４、２５を介して、着脱可能に設けたものである。【００２０】  介護用シートＢ１は、図４に表示されているように、吊環２０を介して介護用シートＢ１の片側外縁を吊上げることによって、患者Ｄを横向きに傾けることが可能である。
また、介護用シートＢ１は、その両端を吊上げることにより、患者Ｄを宙吊りにすることも可能である。【００２１】  介護用シートＢ１は、図３に表示しているように、長尺枕Ｅの両端付近の裏面に、マジックフアスナーの片側面２４ａ、２５ａを設けると共に、該長尺枕の略中心と、シート２２で仰向けに寝ている患者Ｄの頭３４の位置とを重ねた状態（図２に表示。）におけるマジックフアスナーの片側面２４ａ、２５ａと対向するシート２２の表面位置に、マジックフアスナーの他側面２４ｂ、２５ｂを設けたことによって、長尺枕Ｅを着脱自在に設けたものである。【００２２】  シート２２は、可撓性を有し、綿、麻若しくは化学繊維を素材とした布、或いはゴム、ビニール若しくはナイロン等の合成樹脂等からなるシートで構成され、患者Ｄの頭から膝近くまでの範囲に敷設される。【００２３】  長尺枕Ｅは、スポンジを布で包んで形成され、通常は中央部２３で患者の後頭部を受け、患者Ｄが横向きに傾けられたときに、その長尺枕Ｅが介護用シートＢ１と一緒に曲がって、患者Ｄの側頭をその長尺枕Ｅの水平部分で受けることが可能な長さを有している。
長尺枕Ｅは、曲がり易くするために、この長尺枕の曲がり部の下面に、枕の全幅に亘って切り込み３５を設け、折り返した布がスポンジの切り込み３５に入っている。
このため、長尺枕Ｅは、図４に表示しているように、シート２２の曲がりに連動して、切り込み３５が逆Ｖ字状に開くから、容易に曲がることが可能になる。【００２４】  長尺枕Ｅは、シート２２における患者Ｄの頭が位置する部分に、ベッドＣに対し横架する方向に設けられ、図３に表示しているように、マジックファスナー２４の片側面２４ａがシート２２に固着したマジックファスナー２４の他側面２４ｂに付着し、マジックファスナー２５の片側面２５ａがシート２２に固着したマジックファスナー２５の他側２５ｂに付着して、シート２２に着脱可能に組み付けられる。【００２５】  長尺枕Ｅの高さは、患者Ｄが仰向けに寝たときの適正な高さであって、全長に亘って略一様高さである。
従って、患者Ｄが横向きのなったときにおける長尺枕Ｅは、患者Ｄの横向きのなったときの頭の高さが、仰向けに寝ているときに較べて、高くなるので、図４に表示しているように、患者Ｄの首が曲がった状態で、その患者Ｄの側頭を受けることとなる。【００２６】  従って、介護用シートＢ１を使用して患者Ｄを横向きに立てる場合、側頭の位置が横向きになる迄の間、首が曲がりながら、頭３４の位置が上昇して、その側頭が長尺枕Ｅの上面に到達するから、患者Ｄを横向きにする速度は、首を捻挫させないように、遅くすることを要する。
【実施例２】
【００２７】  図５は、本発明の“中窪み状長尺枕Ｆ”の斜視図を表示したものであり、中窪み状長尺枕Ｆは、長尺枕Ｅと同様に着脱可能にシート２２に組付けられて、介護用シートＢ２を形成する。
介護用シートＢ２は、介護用シートＢ１と同様に、患者Ｄの下に敷設され、図６に表示しているように片側外縁を吊上げて、患者Ｄを横向きに傾けるときに用いられ、中窪み状長尺枕Ｆをシート２２の患者Ｄの頭が位置する部分に、介護用シートＢ１と同様に着脱可能に設けたものである。
また、介護用シートＢ２は、その両端を吊上げることにより、患者を宙吊りにすることも可能である。【００２８】  中窪み状長尺枕Ｆは、中央に患者の頭部を受けるための窪み部２７を、患者Ｄが横向きに傾けられたときに、その患者Ｄの側頭を受けるための側頭受部２６と側頭受部２８とが窪み部２７を挟んで対向して設けられている。
中窪み状長尺枕Ｆの両側端部付近には、長尺枕Ｅと同様に、マジックファスナー２４の片側面２４ａが、他側端部付近には、マジックファスナー２５の片側面２５ａが固着されている。【００２９】  中窪み状長尺枕Ｆにおける窪み部２７の枕高さは、患者Ｄが仰向けに寝たときの適正な高さであって、側頭受部２６および側頭受部２８の枕高さは、図６に表示しているように、患者Ｄが横向きに傾けられたときおける側頭の下面の高さである。【００３０】  従って、患者Ｄの頭３４は、その側頭の位置が横向きになったときに下がらない。
それ故に、患者Ｄは、首を曲げられることなく、横向きにされるから、安全に横向きにされる。という長所がある。【００３１】  側頭の位置が横向きになる迄の間、首が若干曲がりながら、頭の位置が上昇して、側頭が側頭受部２６または側頭受部２８に到達するから、患者Ｄを横向きにする速度は、首を捻挫させないように、控えめにすることを要する。
【実施例３】
【００３２】  図７は、本発明の“膨張機能付き長尺枕Ｇ”の斜視図を表示したものであり、膨張機能付き長尺枕Ｇは、長尺枕Ｅと同様に、シート２２の、患者Ｄの頭３４が位置する部分に、着脱可能にシート２２に組付けられて、介護用シートＢ３を形成する。
介護用シートＢ３は、介護用シートＢ１と同様に、患者Ｄの下に敷設され、図８に表示しているように片側外縁を吊上げられて、患者Ｄを横向きに傾けるときに用いられる。
また、介護用シートＢ３は、その両端を吊上げることにより、患者を宙吊りにすることも可能である。【００３３】  膨張機能付き長尺枕Ｇの高さは、患者Ｄが仰向けに寝たときの適正な高さであって、全長に亘って略一様高さであり、患者Ｄを横向きに傾けたときに、その患者Ｄの片側の側頭を受ける部分に膨張袋１９ａが、その患者Ｄの他側の側頭を受ける部分に膨張袋１９ｂが設けられている。
また、膨張機能付き長尺枕Ｇの両側端部付近には、長尺枕Ｅと同様に、マジックファスナー２４の片側面２４ａが、他側端部付近には、マジックファスナー２５の片側面２５ａが固着されている。【００３４】  膨張袋１９ａは、圧縮空気が挿入されて膨らむものであり、エアポンプ１８にエア供給管３０ａを介して連結され、膨張袋１９ｂも、圧縮空気が挿入されて膨らむものであり、エアポンプ１８にエア供給管３０ｂを介して連結されている。
膨張袋１９ａ、１９ｂは、患者Ｄを横向きにするときに首が曲がって頭３４が下がらないように、患者Ｄの傾きに応じて膨らませることにより、側頭を受ける部分を高くなるように、膨らみ加減が制御される。【００３５】  膨張袋１９ａおよび１９ｂの膨らみは、膨張袋１９ａ、１９ｂ内のエア圧力との相関関係に応じて、圧縮空気を膨張袋１９ａ、１９ｂ内へ挿入し、挿入し過ぎたときは挿入し過ぎた分の圧縮空気を膨張袋１９ａ、１９ｂ内から排出することによって、加減するものとし、その膨らみを制御する装置は従来の技術で充分に賄うことができる。【００３６】  患者Ｄは、横向きにされる際、その患者の頭３４の高さが、仰向けに寝ているときに較べて、高くなるが、その側頭が膨張袋１９ａ、１９ｂの膨らみで支えられて下がらないから、安全に横向きにされるという長所がある。
従って、膨張機能付き長尺枕Ｇを具備した介護シートＢ３を用いた場合には、患者Ｄを速い速度で横向きにしても、その患者Ｄは、首を捻挫する等の負傷をしない。【００３７】  また、膨張袋１９ａおよび１６ｂの膨らみは、中窪み状長尺枕Ｆにおける側頭受部２６および側頭受部２８の枕高さになるように、一定高さにしても良い。【００３８】  この場合は、側頭の位置が横向きになる迄の間、首が若干曲がりながら、頭の位置が上昇して、側頭が中窪み状長尺枕Ｆの側頭受部２６または側頭受部２８に相当する部分に到達するから、患者Ｄを横向きにする速度は、首を捻挫させないように、控えめにすることを要する。
【実施例４】
【００３９】  本発明の介護用シートＢ１、Ｂ２、Ｂ３の吊上げ機構は、図１に表示されているように、特願２００２−１２３２１１に開示されている機構において、介護用シートの端部を吊上げるための各系列のロープが２本で構成されていると共に、各系列のロープにおける反介護シート側の各々の端部が牽引ナットの両側に設けたそれぞれのピンと連結した構造で形成されている。【００４０】  ここに、ロープを連結するピン６ａ、６ｂは、図１に表示されているように、螺杆３が貫通している螺子孔を真中にして、互いに対向して牽引ナット４の両側面に設けられている。【００４１】  そして、固定滑車８と掛合している２本のロープ１２ａ、１２ｂの内、ロープ１２ａの端部をピン６ａに、ロープ１２ｂの端部をピン６ｂに連結する。
更に、固定滑車１１と掛合している２本のロープ１４ａ、１４ｂの内、ロープ１４ａの端部をピン６ａに、ロープ１４ｂの端部をピン６ｂに連結する。【００４２】  介護用シートの吊上げ機構は、以上の構成をしているから、ピン６ａが折損してもピン６ｂに連結しているロープ１２ｂとロープ１４ｂが健在であるから、介護用シートＢ１、Ｂ２、Ｂ３の吊上げに支障が生じないという長所がある。
また、ピン６ａではなく、ピン６ｂが折損した場合も、ピン６ａに連結しているロープ１２ａとロープ１４ａが健在であるから、介護用シートＢ１、Ｂ２、Ｂ３の吊上げに支障が生じないという長所がある。【００４３】  ピン６ａに螺杆３側に位置するロープ１４ａと、ピン６ｂの螺杆３側に位置するロープ１２ｂとが交差するが、固定滑車９におけるロープ１４ａの溝底の深さとロープ１２ｂの溝底の深さとを異にすることによって、ロープ１４ａとロープ１２ｂとの接触を避けることができる。
【効果】
【００４４】  使用して汚れた介護用シートＢ１、Ｂ２、Ｂ３のシート２２は、長尺枕Ｅ、中窪み状長尺枕Ｆ、膨張機能付き長尺枕Ｇのそれぞれをシート２２から取り外せば、従来の手作業によるオ厶ツ交換の要領に類似した要領で、清潔な介護用シートのシートに容易に取り替えることができるという格別の効果がある。
【図面の簡単な説明】
【図１】本発明の“介護補助装置Ａ”の構成を表示した見取り図を表す。
【図２】本発明の“介護用シートＢ１”の斜視図を表す。
【図３】本発明の“介護用シートＢ１”における長尺枕Ｅの着脱構造を表す。
【図４】長尺枕Ｅの使用状況を表示した側面図を表す。
【図５】本発明の“介護用シートＢ２”における中窪み状長尺枕Ｆの斜視図を表す。
【図６】中窪み状長尺枕Ｆの使用状況を表示した側面図を表す。
【図７】本発明の“介護用シートＢ３”における膨張機能付き長尺枕Ｇの斜視図を表す。
【図８】膨張機能付き長尺枕Ｇの使用状況を表示した側面図を表す。
【符号の説明】
Ａ‥‥‥‥‥‥‥‥介護補助装置
Ｂ１‥‥‥‥‥‥‥介護用シート
Ｂ２‥‥‥‥‥‥‥介護用シート
Ｂ３‥‥‥‥‥‥‥介護用シート
Ｃ‥‥‥‥‥‥‥‥一対の索具
Ｄ‥‥‥‥‥‥‥‥患者
Ｅ‥‥‥‥‥‥‥‥長尺枕
Ｆ‥‥‥‥‥‥‥‥中窪み状長尺枕
Ｇ‥‥‥‥‥‥‥‥膨張機能付き長尺枕
Ｈ‥‥‥‥‥‥‥‥ベッド
１‥‥‥‥‥‥‥‥減速機付き電動モータ
２‥‥‥‥‥‥‥‥軸受
３‥‥‥‥‥‥‥‥螺杆
４‥‥‥‥‥‥‥‥牽引ナット
５‥‥‥‥‥‥‥‥軸受
６ａ，６ｂ‥‥‥‥ピン
７ａ，７ｂ‥‥‥‥リミットスイッチ
８‥‥‥‥‥‥‥‥固定滑車
９‥‥‥‥‥‥‥‥固定滑車
１０‥‥‥‥‥‥‥固定滑車
１１‥‥‥‥‥‥‥固定滑車
１２ａ，１２ｂ‥‥ロープ
１３‥‥‥‥‥‥‥フック
１４ａ，１４ｂ‥‥ロープ
１５‥‥‥‥‥‥‥フック
１６‥‥‥‥‥‥‥電気配線
１７‥‥‥‥‥‥‥制御装置
１８‥‥‥‥‥‥‥エアポンプ
１９ａ，１９ｂ‥‥膨張袋
２０‥‥‥‥‥‥‥吊環
２１‥‥‥‥‥‥‥パイプ
２２‥‥‥‥‥‥‥シート
２３‥‥‥‥‥‥‥中央部
２４‥‥‥‥‥‥‥マジックファスナー
２４ａ‥‥‥‥‥‥片側面
２４ｂ‥‥‥‥‥‥他側面
２５‥‥‥‥‥‥‥マジックファスナー
２５ａ‥‥‥‥‥‥片側面
２５ｂ‥‥‥‥‥‥他側面
２６‥‥‥‥‥‥‥側頭受部
２７‥‥‥‥‥‥‥窪み部
２８‥‥‥‥‥‥‥側頭受部
２９‥‥‥‥‥‥‥枕本体
３０ａ，３０ｂ‥‥エア供給管
３１ａ，３１ｂ‥‥側頭受部
３２‥‥‥‥‥‥‥フック
３３‥‥‥‥‥‥‥フック
３４‥‥‥‥‥‥‥頭
３５‥‥‥‥‥‥‥切り込み
【図１】
2005058720.tif 000003
【図２】
2005058720.tif 000004
【図３】
2005058720.tif 000005
【図４】
2005058720.tif 000006
【図５】
2005058720.tif 000007
【図６】
2005058720.tif 000008
【図７】
2005058720.tif 000009
【図８】
2005058720.tif 000010